(57)【要約】【課題】入力映像信号がフルレンジ又はリミテッドレンジのいずれであっても、輝度レベルが適切に補正された画像を表示できる画像表示装置を提供する。【解決手段】映像表示装置８は、入力映像信号をデコードするデジタルインターフェースレシーバ部１と、デコードされた映像信号がフルレンジ又はリミテッドレンジのいずれであるかを判別する入力レンジ判別部２と、入力レンジ判別部２による判別結果に基づいて、セットアップキャンセル量及びダイナミックレンジ補正係数を制御する映像信号処理制御部５と、映像信号処理制御部５から出力されるセットアップキャンセル量及びダイナミックレンジ補正係数に基づいて、セットアップキャンセル及びダイナミックレンジの補正の演算を行う演算処理部６と、演算処理部６によって補正された映像信号に基づく映像を表示する表示デバイス７とを有している。【選択図】        図１
2006295377.tif 000002
【特許請求の範囲】
【請求項１】
入力されるデジタル映像信号のセットアップレベル及びダイナミックレンジに基づいて、前記デジタル映像信号の種類を判別する入力レンジ判別手段と、
前記入力レンジ判別手段による判別結果に基づいて、前記デジタル映像信号のセットアップレベル及びダイナミックレンジを補正する信号処理手段と、
前記信号処理手段によって補正されたデジタル映像信号に基づく映像を表示する表示デバイスと
を有することを特徴とする映像表示装置。
【請求項２】
前記信号処理手段が、
前記入力レンジ判別手段による判別結果に基づいて、セットアップキャンセル量及びダイナミックレンジ補正係数を制御する映像信号処理制御部と、
前記映像信号処理制御部から出力されるセットアップキャンセル量及びダイナミックレンジ補正係数に基づいて、前記セットアップキャンセル及びダイナミックレンジの補正の演算を行う演算処理部と
を有することを特徴とする請求項１に記載の映像表示装置。
【請求項３】
前記演算処理部は、線形演算によりダイナミックレンジの補正の演算を行うことを特徴とする請求項２に記載の映像表示装置。
【請求項４】
前記信号処理手段が、複数のＬＵＴを保持し、前記入力レンジ判別手段による判別結果に基づいて前記複数のＬＵＴの内のいずれかを選択し、前記選択されたＬＵＴを用いて前記セットアップキャンセル及びダイナミックレンジの補正の演算を行うＬＵＴ付演算処理部を有することを特徴とする請求項１に記載の映像表示装置。
【請求項５】
前記ＬＵＴ付演算処理部は、非線形演算によりダイナミックレンジの補正の演算を行うことを特徴とする請求項４に記載の映像表示装置。
【請求項６】
前記入力レンジ判別手段によって判別されるデジタル映像信号の種類には、前記デジタル映像信号のビット数のすべてを階調レベルに割り当てるフルレンジと、前記デジタル映像信号のビット数の一部を階調レベルに割り当てるリミテッドとが含まれることを特徴とする請求項１から５までのいずれかに記載の映像表示装置。
【請求項７】
前記入力レンジ判別手段は、
前記デジタル映像信号の有効映像期間における最大値及び最小値を検出し、
前記最大値が所定の第１の閾値より大きいとき、又は、前記最小値が所定の第２の閾値より小さいときに、前記デジタル映像信号がフルレンジであると判別し、
前記最大値が所定の第１の閾値以下であり、且つ、前記最小値が所定の第２の閾値以上であるときに、前記デジタル映像信号がリミテッドレンジであると判別する
ことを特徴とする請求項６に記載の映像表示装置。
【請求項８】
ユーザーからの入力レンジ判別結果のリセット要求を受けるユーザーインターフェース制御手段をさらに有し、
前記入力レンジ判別手段は、前記ユーザーインターフェース制御手段がリセット要求を検知した場合に、前記デジタル映像信号の入力レンジ判別結果をリミテッドレンジにする
ことを特徴とする請求項６又は７のいずれかに記載の映像表示装置。
【請求項９】
前記ユーザーインターフェース制御手段は、前記表示デバイスに入力されたデジタル映像信号がフルレンジ又はリミテッドレンジのいずれであるかを示す情報を表示させる信号を出力することを特徴とした請求項６から８までのいずれかに記載の映像表示装置。
【発明の詳細な説明】
【技術分野】
【０００１】
本発明は、例えば、Ｄｉｇｉｔａｌ  Ｖｉｓｕａｌ  Ｉｎｔｅｒｆａｃｅ（ＤＶＩ）やＨｉｇｈ−Ｄｅｆｉｎｉｔｉｏｎ  Ｍｕｌｔｉｍｅｄｉａ  Ｉｎｔｅｒｆａｃｅ（ＨＤＭＩ（登録商標））等のようなデジタルインターフェースを備えた映像表示装置に関し、特に、入力されるデジタル映像信号のセットアップレベル及びダイナミックレンジの調整に関するものである。
【背景技術】
【０００２】
従来の映像表示装置においては、地域別の放送規格によりアナログ映像信号のセットアップレベルが決められていたので、地域毎に一義的なセットアップキャンセルを実施している。ここで、セットアップレベルとは、ペデスタルレベルと映像信号の黒レベルとの差である。例えば、セットアップレベルを７．５％としている米国においては、７．５％のセットアップキャンセルを実施し、セットアップレベルを０％としている日本においは、０％のセットアップキャンセルを実施している。セットアップレベルが付加されている映像信号に対してセットアップキャンセルを行う際には、ＡＤコンバータの量子化の下限値をセットアップキャンセル量だけシフトさせている（例えば、特許文献１参照）。
【０００３】
また、近年、デジタル多用途ディスク（ＤＶＤ）プレーヤやセットトップボックス（ＳＴＢ）等に搭載されているＤＶＩやＨＤＭＩ（登録商標）等のデジタルインターフェースが普及しつつあり、これらのデジタルインターフェースからＲＧＢ形式で出力される信号のダイナミックレンジには、フルレンジとリミテッドレンジの２種類が存在している。これら２種類のダイナミックレンジは、機器毎に決められ、地域とは無関係に存在し、同一地域においても混在する状況にある。ここで、映像信号を８ビットで扱う場合におけるフルレンジとは、黒レベルを０階調、白レベルを２５５階調とした８ビットをフルに白黒の階調に割り当てるモードであり、リミテッドレンジとは、黒レベルを１６階調、白レベルを２３５階調とした８ビットの中の一部のレンジを使用するモードである。
【０００４】
【特許文献１】特開２００１−３３９６２１号公報（第４−５頁、図１）
【発明の開示】
【発明が解決しようとする課題】
【０００５】
しかしながら、上記した従来の映像表示装置においては、フルレンジに対応した映像表示装置にリミテッドレンジの映像信号が入力されると、黒浮き（黒の輝度上昇）及び白の輝度低下（白沈み）が発生するという問題があった。また、リミテッドレンジに対応した映像表示装置にフルレンジの映像信号が入力されると、黒つぶれ（暗い部分の階調が失われる状態）及び白つぶれ（明るい部分の階調が失われる状態）が発生するという問題があった。
【０００６】
そこで、本発明は、上記したような従来技術の課題を解決するためになされたものであり、その目的は、入力されるデジタル映像信号のセットアップレベル及びダイナミックレンジにかかわらず、入力デジタル映像信号に忠実な輝度レベルの映像表示を行うことができる画像表示装置を提供することにある。
【課題を解決するための手段】
【０００７】
本発明の映像表示装置は、入力されるデジタル映像信号のセットアップレベル及びダイナミックレンジに基づいて、前記デジタル映像信号の種類を判別する入力レンジ判別手段と、前記入力レンジ判別手段による判別結果に基づいて、前記デジタル映像信号のセットアップレベル及びダイナミックレンジを補正する信号処理手段と、前記信号処理手段によって補正されたデジタル映像信号に基づく映像を表示する表示デバイスとを有することを特徴としている。
【発明の効果】
【０００８】
本発明によれば、入力されるデジタル映像信号のセットアップレベル及びダイナミックレンジに基づいて、デジタル映像信号の種類を判別し、この判別結果に基づいて、デジタル映像信号のセットアップレベル及びダイナミックレンジを補正するので、入力されるデジタル映像信号の種類にかかわらず、黒浮き、白の輝度低下、黒つぶれ、及び白つぶれを回避し、入力デジタル映像信号に忠実な輝度レベルの映像表示を行うことができるという効果が得られる。
【発明を実施するための最良の形態】
【０００９】
実施の形態１．
図１は、本発明の実施の形態１に係る映像表示装置８の構成を示すブロック図である。図１に示されるように、実施の形態１に係る映像表示装置８は、デジタルインターフェースレシーバ部１と、入力レンジ判別部２と、信号変化検知部３と、ユーザーインターフェース制御部４と、映像信号処理制御部５と、演算処理部６と、表示デバイス７とを有している。映像表示装置８は、例えば、テレビ、投射型表示装置、及びＰＣ用モニター等のデジタルインターフェースを有する機器である。
【００１０】
デジタルインターフェースレシーバ部１は、ＤＶＤプレーヤやＳＴＢ等に搭載されているＤＶＩやＨＤＭＩ（登録商標）等のデジタルインターフェースを有する機器からのデジタル映像信号を受信し、受信したデジタル映像信号をパラレルデータｄｉｎにデコードすると共に、有効映像期間を示す信号ｄｅｎ及び同期信号ｄｓｙｎｃを出力する。
【００１１】
入力レンジ判別部２は、デジタルインターフェースレシーバ部１から出力される有効映像期間を示す信号ｄｅｎの期間について、映像信号ｄｉｎの最大値ｄｍａｘ及び最小値ｄｍｉｎを検出し、映像信号ｄｉｎがフルレンジ又はリミテッドレンジのいずれであるかを判別し、判別結果を示す判別信号ｓｅｌを出力する。また、入力レンジ判別部２は、映像信号ｄｉｎがフルレンジ又はリミテッドレンジのいずれであるかを示す判別結果、並びに、映像信号ｄｉｎの最大値ｄｍａｘ及び最小値ｄｍｉｎの情報を含む信号ｓｉｇ＿ｉｎｆｏをユーザーインターフェース制御部４に出力する。さらに、入力レンジ判別部２は、信号変化検知部３からの信号変化検知信号ｉｎｉｔ又はユーザーインターフェース制御部４からのユーザーリセット信号ｕｒｅｓが入力された場合に、判別信号ｓｅｌをリミテッドレンジを示す信号に戻す。
【００１２】
信号変化検知部３は、デジタルインターフェースレシーバ部１から入力される同期信号ｄｓｙｎｃを元に、入力されているデジタル映像信号の無信号への移行又は／及び信号フォーマットの変化を検出し、その検出信号ｉｎｉｔを入力レンジ判別部２に出力する。
【００１３】
ユーザーインターフェース制御部４は、ユーザーからの入力レンジ判別結果のリセット要求があった場合に、ユーザーリセット信号ｕｒｅｓを入力レンジ判別部２に出力する。また、ユーザーインターフェース制御部４は、入力レンジ判別部２から出力される判別結果、並びに、映像信号ｄｉｎの最大値ｄｍａｘ及び最小値ｄｍｉｎの情報を含む信号ｓｉｇ＿ｉｎｆｏに基づく情報を、表示デバイス７に表示できるようにするためのＧＵＩデータｇｕｉ＿ｓｉｇ＿ｉｎｆｏを構築し、そのＧＵＩデータｇｕｉ＿ｓｉｇ＿ｉｎｆｏを表示デバイス７に出力する。
【００１４】
映像信号処理制御部５は、入力レンジ判別部２からの判別信号ｓｅｌを受け、セットアップキャンセル量ｓｃ及びダイナミックレンジ補正係数ｇａｉｎを演算処理部６に出力する。
【００１５】
演算処理部６は、映像信号処理制御部５から出力されたセットアップキャンセル量ｓｃ及びダイナミックレンジ補正係数ｇａｉｎに基づいて、デジタルインターフェースレシーバ部１から出力される映像信号ｄｉｎに対して演算を行い、その結果得られた補正後の映像信号ｄｏｕｔを表示デバイス７へ出力する。表示デバイス７は、映像信号ｄｏｕｔに基づく映像及びＧＵＩデータｇｕｉ＿ｓｉｇ＿ｉｎｆｏに基づく映像を、個別に又は重ねて表示する。
【００１６】
図２は、入力レンジ判別部２の動作を示すフローチャートである。ＨＤＭＩ（登録商標）規格においては、カラースペースがＲＧＢで８ビット階調の場合には、フルレンジは黒レベルが０階調、白レベルが２５５階調と定められており、リミテッドレンジは黒レベルが１６階調、白レベルが２３５階調と定められている。このため、黒側の判別の閾値をＴｈｍｉｎ、白側の判別の閾値をＴｈｍａｘとすると、閾値Ｔｈｍｉｎとして１〜１６階調の任意の値、閾値Ｔｈｍａｘとして２３５〜２５４階調の任意の値を選択できる。
【００１７】
図２に示されるように、入力レンジ判別部２は、最初はリミテッドレンジとして処理を開始する（ステップＳＴ１）。次に、入力レンジ判別部２は、映像信号の最小値ｄｍｉｎ及び最大値ｄｍａｘをそれぞれ閾値Ｔｈｍｉｎ及び閾値Ｔｈｍａｘと比較して（ステップＳＴ２）、ｄｍｉｎ＜Ｔｈｍｉｎ又はｄｍａｘ＞Ｔｈｍａｘとなる場合に、入力映像信号がフルレンジである判断する。ステップＳＴ２において、前記以外の場合（すなわち、ｄｍｉｎ≧Ｔｈｍｉｎ且つｄｍａｘ≦Ｔｈｍａｘの場合）には、入力映像信号がリミテッドレンジである判断する（ステップＳＴ３）。フルレンジと判断した場合には、入力レンジ判別部２は、信号変化検知信号ｉｎｉｔ又はユーザーリセット信号ｕｒｅｓが入力されるまで入力映像信号がフルレンジであると判断し、信号変化検知信号ｉｎｉｔ又はユーザーリセット信号ｕｒｅｓが入力された場合（ステップＳＴ４）には、入力レンジ判別部２の最小値ｄｍｉｎ及び最大値ｄｍａｘの初期化を行い（ステップＳＴ５）、入力映像信号がリミテッドレンジであるとして処理を行う（ステップＳＴ１）。以上の手順により、入力レンジ判別部２は、入力映像信号がリミテッドレンジ又はフルレンジのいずれであるかを自動的に判別する。
【００１８】
図３は、映像信号処理制御部５の構成例を示す図である。映像信号処理制御部５において、セレクタ９は、入力レンジ判別部２からの判別信号ｓｅｌに基づいて、入力値０又は１６のいずれかを選択し、黒レベルのセットアップキャンセル量ｓｃとして０又は１６のいずれかを出力する。また、映像信号処理制御部５において、セレクタ１０は、入力レンジ判別部２からの判別信号ｓｅｌに基づいて、入力値１倍又は１．１６倍のいずれかを選択して、白及び黒レベルのダイナミックレンジ補正係数ｇａｉｎとして出力する。ここで、ダイナミックレンジ補正係数ｇａｉｎの値である１．１６倍は、次式によって得られる。
フルレンジの階調数／リミテッドレンジの階調数
＝２５６階調／（２３５階調−１５階調）
＝２５６階調／２２０階調
＝１．１６
【００１９】
図４は、演算処理部６の構成例を示す図である。演算処理部６においては、減算器１１が、デジタルインターフェースレシーバ部１から入力される映像信号ｄｉｎからセットアップキャンセル量ｓｃを減算し、乗算器１２が、減算器１１からの出力値にダイナミックレンジ補正係数ｇａｉｎを乗算し、この乗算結果を出力値ｄｏｕｔとして表示デバイス７へ出力する。
【００２０】
図５（ａ）及び（ｂ）は、入力映像信号と出力信号の関係を示すグラフである。図５（ａ）にリミテッドレンジの信号が入力された場合、図５（ｂ）にフルレンジの信号が入力された場合の映像表示状態を示す。図５（ａ）及び（ｂ）のそれぞれにおいて、ｘ軸は入力信号のレベルを示し、ｙ軸は出力信号のレベルを示している。
【００２１】
まず、図５（ａ）に基づいて、リミテッドレンジの映像信号が入力された場合について説明する。図５（ａ）に破線の直線によって示されるように、リミテッドレンジの映像信号、すなわち、黒レベルが１６階調、白レベルが２３５階調の映像信号が、フルレンジ固定の映像表示装置に入力されると、出力映像信号は黒レベルが１６階調、白レベルが２３５階調となり、フルレンジ固定の映像表示装置が本来持つ階調レベルである黒レベルが０階調、白レベルが２５５階調に対して、黒レベルは階調レベル数で１６浮いた形になり、白レベルは階調レベル数で２０沈んだ形になる。一方、図５（ａ）に実線の直線によって示されるように、このとき映像表示装置の入力レンジをリミテッドレンジに変更するために、セットアップキャンセル量ｓｃとして１６を選択し、ダイナミックレンジ補正係数（ゲイン）ｇａｉｎとして１．１６倍を選択することによって、黒レベルが０階調、白レベルが２５５階調の映像信号を出力することができる。このように、第１の実施形態の映像表示装置においては、リミテッドレンジの映像信号が入力された場合であっても、黒浮き、及び、白の輝度低下の発生を防止することができる。
【００２２】
また、図５（ｂ）に基づいて、フルレンジの映像信号が入力された場合について説明する。図５（ｂ）に一点鎖線の直線によって示されるように、フルレンジの映像信号、すなわち、黒レベルが０階調、白レベルが２５５階調の映像信号が、リミテッドレンジ固定の映像表示装置に入力される場合には、セットアップキャンセル量ｓｃとして１６を選択し、ダイナミックレンジ補正係数（ゲイン）ｇａｉｎとして１．１６倍を選択すると、黒つぶれ及び白つぶれが発生する。一方、ダイナミックレンジの信号を自動的にフルレンジに選択することにより、セットアップキャンセル量ｓｃとして０、ダイナミックレンジ補正係数（ゲイン）ｇａｉｎとして１倍を選択する。これにより、図５（ｂ）に実線の直線によって示されるように、黒つぶれ及び白つぶれを生じさせることのない映像信号を出力できる。
【００２３】
以上説明したように、実施の形態１に係る映像表示装置８によれば、デジタルインターフェースレシーバ部１から、フルレンジ又はリミテッドレンジいずれの映像信号が入力されても、いずれであるかを自動判別することにより、黒浮き、白の輝度低下、黒つぶれ、及び白つぶれを回避し、入力映像信号に忠実な輝度レベルの映像表示を行うことができるという効果が得られる。
【００２４】
さらに、入力映像信号がフルレンジ又はリミテッドレンジのいずれであるかの判別結果、並びに、映像信号ｄｉｎの最大値ｄｍａｘ及び最小値ｄｍｉｎの情報を含む信号ｓｉｇ＿ｉｎｆｏを元にして、ユーザーインターフェース制御部４にてＧＵＩデータを構築し、そのデータｇｕｉ＿ｓｉｇ＿ｉｎｆｏを表示デバイス７で表示することにより、ユーザーは、現在フルレンジ又はリミテッドレンジのいずれのモードの映像信号が入力されているかを確認することができる効果もある。
【００２５】
実施の形態２．
デジタルインターフェースレシーバ部１はデジタル映像信号を８ビットで出力するように構成される場合が多い。これに対し、表示デバイス７は、入力デジタル映像信号として、１０ビット入力や１２ビット入力のように、８ビット入力を超えるより多階調対応のものも多く存在する。実施の形態１に係る映像表示装置８において、演算処理部６は減算器１１及び乗算器１２によりで構成されているため、非線形な演算ができず、また、演算処理においても乗算器や映像信号処理の中での処理ビット数の制限を受け、量子化誤差が発生する。これに対し、実施の形態２に係る映像表示装置８ａは、表示デバイス７の入力デジタル映像信号が１０ビット入力や１２ビット入力であっても、入力映像信号に忠実な輝度レベルの映像表示を行うことができるようにしている。
【００２６】
図６は、本発明の実施の形態２に係る映像表示装置８ａの構成を示すブロック図である。図６において、図１の構成と同一又は対応する構成には、同じ符号を付す。図６に示されるように、実施の形態２に係る映像表示装置８ａは、デジタルインターフェースレシーバ部１と、入力レンジ判別部２と、信号変化検知部３と、ユーザーインターフェース制御部４と、ＬＵＴ（ルック・アップ・テーブル）付演算処理部１３と、表示デバイス７とを有している。
【００２７】
デジタルインターフェースレシーバ部１は、ＤＶＤプレーヤやＳＴＢ等に搭載されているＤＶＩやＨＤＭＩ（登録商標）等のデジタルインターフェースを有する機器からのデジタル映像信号を受信し、受信したデジタル映像信号をパラレルデータｄｉｎにデコードすると共に、有効映像期間を示す信号ｄｅｎ及び同期信号ｄｓｙｎｃを出力する。
【００２８】
入力レンジ判別部２は、デジタルインターフェースレシーバ部１から出力される有効映像期間を示す信号ｄｅｎの期間について、映像信号ｄｉｎの最大値ｄｍａｘ及び最小値ｄｍｉｎを検出して、フルレンジかリミテッドレンジかを判別した結果を示す判別信号ｓｅｌを出力する。
【００２９】
ＬＵＴ付演算処理部１３は、複数のＬＵＴを保持し、デジタルインターフェースレシーバ部１から入力される映像信号ｄｉｎに対して入力レンジ判別部２からの判別信号ｓｅｌに基づいて、使用するＬＵＴを選択し、選択されたＬＵＴを用いて映像信号を演算処理して表示デバイス７に演算結果ｄｏｕｔを出力する。
【００３０】
図７は、ＬＵＴ付演算処理部１３の構成を示す図である。図７に示されるように、ＬＵＴ付演算処理部１３は、複数のＬＵＴ（ＬＵＴ１,ＬＵＴ２,…）と、判別信号ｓｅｌに基づいてＬＵＴを選択するセレクタ１４とを有している。セレクタ１４は、デジタルインターフェースレシーバ部１から入力される映像信号ｄｉｎに対して、入力レンジ判別部２からの判別信号ｓｅｌに基づいて、複数のＬＵＴの中から１つのＬＵＴを選択し、演算を行い、その演算結果ｄｏｕｔを出力する。また、ＬＵＴの内容は、外部から書換え可能となるように構成してもよく、この場合には、ユーザー自身が、自身の好みに合った補正を行うことができる。
【００３１】
一例として、図８に、８ビット入力、１２ビット出力の場合のフルレンジ用とリミテッドレンジ用の２種類のＬＵＴを示す。フルレンジ用ＬＵＴ（ＬＵＴ１）は、入力レベル０から２５５に対して、出力レベル０から４０９５を割り当て、リミテッドレンジ用ＬＵＴ（ＬＵＴ２）は、入力レベル０から１５に対して出力レベル０を割り当て、入力レベルの１６から２３５に対して出力レベル０から４０９５を割り当て、入力レベル２３６から２５５に対して出力レベル４０９５を割り当てている。
【００３２】
一方、上記実施の形態１に係る映像表示装置８においては、乗算器（図４の符号１２）の入力を８ビット、乗算係数を８ビットとすると、出力が８ビットで制約されるので、その後、乗算器出力を８ビットから１２ビットへＬＵＴ変換したとしても、量子化誤差の影響が大きく現れる。
【００３３】
図９は、入力映像信号が８ビットでリミテッドレンジであるときに、演算によって１２ビットに切替えた場合（図９において四角印を結ぶ線）と、ＬＵＴ（線形補間時）による切替えを行った場合（図９において丸印を結ぶ線）と、ＬＵＴ（黒伸張時）による切替えを行った場合（図９において三角印を結ぶ線）の例を示す。
【００３４】
ＬＵＴ（線形補間時）については、ＬＵＴが示す関数を最も単純な１次（リニア）の関数とし、入力レベルが１６階調から３４階調までの場合を例として示している。ＬＵＴ切替え時（線形補間時）には、入力される８ビットのデータｄｉｎに対して、１２ビットの出力ｙ１２は、次式で計算することができる。
ｙ１２＝（ｄｉｎ−１６）×２５５／（２３５−１６）
【００３５】
一方、上記実施の形態１に係る映像表示装置８における減算器１１及び乗算器１２を用いてリミテッドレンジへの切替えを行った場合には、入力される８ビットのデータｄｉｎに対して、乗算器１２の８ビットの出力ｙ８は、次式で計算することができる。
ｙ８＝（ｄｉｎ−１６）×２５５／（２３５−１６）
その後、８ビットの出力ｙ８を４ビットシフト（１６倍）することにより１２ビット化を行っている。
【００３６】
図９からわかるように、ＬＵＴを用いて演算を行う実施の形態２の場合（丸印を結ぶ線）には、滑らかな階調表現が可能となる。
【００３７】
さらに、実施の形態２の場合には、図９に示されるような黒伸張（三角印を結ぶ線で示される）や、白伸張といった映像表現の最適化が可能となる。また、ＬＵＴを用いて演算を行うことにより非線形演算が可能となる。例えば、図９のＬＵＴ切替え時（黒伸張時）に示すように黒側の入力に対して、出力レベルを持ち上げることにより黒伸張が可能である。これにより、黒側の再現性の向上が可能となる。また、同様に、白側についても、白側の入力に対して、出力レベルを下げることにより、白伸張も可能となる。
【００３８】
以上説明したように、実施の形態２に係る映像表示装置８ａによれば、デジタルインターフェースレシーバ部１から、フルレンジ又はリミテッドレンジのいずれの映像信号が入力されても、それらのモードを自動判別することにより、黒浮き、白の輝度低下、黒つぶれ、及び白つぶれを回避し、入力デジタル映像信号に忠実な輝度レベルの映像表示を行うことができ、さらに、量子化ノイズを最小限に抑制することができるという効果が得られる。
【００３９】
なお、実施の形態２において、上記以外の点は、上記実施の形態１の場合と同じである。
【図面の簡単な説明】
【００４０】
【図１】本発明の実施の形態１に係る映像表示装置の構成を示すブロック図である。
【図２】図１に示される入力レンジ判別部の動作を示すフローチャートである。
【図３】図１に示される映像信号処理制御部の構成例を示す図である。
【図４】図１に示される演算処理部の構成例を示す図である。
【図５】（ａ）及び（ｂ）は、リミテッドレンジの映像信号が入力された場合及びフルレンジの映像信号が入力された場合の映像表示状態を示すグラフである。
【図６】本発明の実施の形態２に係る映像表示装置の構成を示すブロック図である。
【図７】図６に示されるＬＵＴ付演算処理部の構成例を示す図である。
【図８】フルレンジ用ＬＵＴとリミテッドレンジ用ＬＵＴの例を示す図である。
【図９】演算によるビット数切替えを行った場合（実施の形態１）とＬＵＴによるビット数切替えを行った場合（実施の形態２）の出力の差異を示す図である。
【符号の説明】
【００４１】
１  デジタルインターフェースレシーバ部、  ２  入力レンジ判別部、  ３  信号変化検知部、  ４  ユーザーインターフェース制御部、  ５  映像信号処理制御部、  ６  演算処理部、  ７  表示デバイス、  ８，８ａ  映像表示装置、  ９，１０  セレクタ、  １１  減算器、  １２  乗算器、  １３  ＬＵＴ付演算処理部、  １４  セレクタ。
【図１】
2006295377.tif 000003
【図２】
2006295377.tif 000004
【図３】
2006295377.tif 000005
【図４】
2006295377.tif 000006
【図５】
2006295377.tif 000007
【図６】
2006295377.tif 000008
【図７】
2006295377.tif 000009
【図８】
2006295377.tif 000010
【図９】
2006295377.tif 000011